(57)【特許請求の範囲】
【請求項１】
固定側型盤と可動側型盤とよりなる金型装置であって、前記固定側型盤には両型盤が開閉する方向と直角方向に開閉するスライドブロックを設けた射出成形用金型に於て、スライドブロックは、可動側型盤に設けたアンギュラピンによって開閉し、前記固定側型盤にはスライドブロックの位置検出機構を、可動側型盤には両型盤の開閉状態を検出する検出機構を備え、前記スライドブロックの位置検出機構と両型盤の検出機構が一時的にＯＮされたときに正常と判断され、金型の閉動作が継続されることを特徴とする射出成形用金型装置。
【発明の詳細な説明】
【０００１】
【発明の属する技術分野】
本発明は、金型装置が固定側型盤と可動側型盤とより構成され、その固定側型盤と可動側型盤との開閉方向と直角方向に開閉するスライドブロックを有してなる射出成形用金型装置に関する。
【０００２】
【従来の技術】
図３に示し説明する。金型装置は可動側型盤１０１と固定側型盤１０２とより構成されている。その可動側型盤１０１には後述するスライドコアを開閉するアンギュラピン１０３とスライドコアを確実に閉鎖せしめる閉鎖ブロック１０４とが固定されている。
一方、前記固定側型盤１０２には前記アンギュラピン１０３が嵌挿する孔１０５が形成されたスライドブロック１０６が開閉自在に取り付けられている。また、固定側型盤１０２にはスライドブロック１０６が拡開したときにロックするボールプランジャー１０７が配置されている。１０８はスライドブロック１０６に形成された凹部であり、前記ボールプランジャー１０７のボールが係合するのである。
【０００３】
【発明が解決しようとする課題】
しかし乍ら上記した従来技術に於ては、スライドブロック１０６が拡開した際にボールプランジャー１０７によってロックされるものの、そのロック力は弱く不慮の衝撃により動いてしまう場合があった。このスライドブロック１０６の動きは金型装置が横方向に設置されていてスライドブロック１０６が上下方向に開閉する場合に顕著に起る。即ち、スライドブロック１０６の自重により下方に移動してしまうのである。そして、スライドブロック１０６が移動してしまった状態で可動側型盤１０１と固定側型盤１０２とを閉鎖せしめようとすると、アンギュラピン１０３がスライドブロック１０６に当接し（図４参照）、そのアンギュラピン１０３やスライドブロック１０６並びに成形品を排出するためのエジェクターピン（図示せず）などを破損させてしまうものであった。
【０００４】
そこで、スライドブロック１０６の状態を検出する検出機構マイクロスイッチ１０９を取り付けたものが考えられた。図５に示されるような装置である。可動側型盤１０１と固定側型盤１０２とが閉鎖動作を開始するときにマイクロスイッチ１０９がＯＮされていれば正常と判断し各型を閉鎖せしめ、マイクロスイッチ１０９がＯＦＦ（スライドブロックが移動している）されているときには異常と判断し、直ちに各型の閉鎖動作を行なわなくしているのである。
【０００５】
しかし上記の装置でも問題点があった。正常と判断されアンギュラピン１０３がスライドブロック１０６の孔１０５に嵌挿するまでの間の時間である。つまり可動側型盤１０１の移動が開始され、アンギュラピン１０３が孔１０５に嵌挿するまでの間にスライドブロック１０６が動いてしまうと、そのスライドブロック１０６の移動は検出されず、遂にはアンギュラピン１０３がスライドブロック１０６に接触・破損してしまうものであった。落下する原因としてはエジェクターピンの動作衝撃や可動側型盤１０１の動作衝撃などがある。
【０００６】
【課題を解決するための手段】
本発明は上記問題点を解決することを目的とし、固定側型盤と可動側型盤とよりなる金型装置であって、前記固定側型盤には両型盤が開閉する方向と直角方向に開閉するスライドブロックを設けた射出成形用金型に於て、スライドブロックは、可動側型盤に設けたアンギュラピンによって開閉し、前記固定側型盤にはスライドブロックの位置検出機構を、可動側型盤には両型盤の開閉状態を検出する検出機構を備え、前記スライドブロックの位置検出機構と両型盤の検出機構が一時的にＯＮされたときに正常と判断され、金型の閉動作が継続されることを特徴とするものである。
【０００７】
【発明の実施の形態】
本発明は、固定側型盤と可動側型盤とよりなる金型装置であって、前記固定側型盤には両型盤が開閉する方向と直角方向に開閉するスライドブロックを設けた射出成形用金型に於て、スライドブロックは、可動側型盤に設けたアンギュラピンによって開閉し、前記固定側型盤にはスライドブロックの位置検出機構を、可動側型盤には両型盤の開閉状態を検出する検出機構を備え、前記スライドブロックの位置検出機構と両型盤の検出機構が一時的にＯＮされたときに正常と判断され、金型の閉動作が継続されることを特徴とし、その結果、金型装置の破損を防止できる。
【０００８】
【作用】
可動側型盤と固定側型盤とを閉鎖させるときスライドブロックが正常に保持されていればマイクロスイッチがＯＮと閉鎖動作が開始され、更に閉鎖動作が進行して可動側型盤のマイクロスイッチがＯＮされれば正常な作動と判断され、閉鎖動作が継続され、スライドブロックの閉鎖動作が開始されるとマイクロスイッチ９がＯＦＦされる。
【０００９】
【実施例】
金型装置は可動側型盤１と固定側型盤２とより構成されている。その可動側型盤１には後述するスライドコアを開閉するアンギュラピン３とスライドコアを確実に閉鎖せしめる閉鎖ブロック４とが固定されている。
一方、前記固定側型盤２には前記アンギュラピン３が嵌挿する孔が形成されたスライドブロック６が開閉自在に取り付けられている。また、固定側型盤２にはスライドブロック６が拡開したときにロックするボールプランジャー７が配置されている。８はスライドブロック６に形成された凹部であり、前記ボールプランジャー７のボールが係合するのである。
また、前記固定側型盤２にはスライドブロック６の状態を検出するマイクロスイッチ９が固定されているが、無接点式の近接スイッチでも良い。スライドブロック６の移動によりＯＮ，ＯＦＦするのである。
以上の構成は従来技術と同様である。
【００１０】
本発明の特徴点は以下にある。前記可動側型盤１にはその可動側型盤１と固定側型盤２との開閉動作を検知するマイクロスイッチ１０が固定されている。そして、そのマイクロスイッチ１０は前記固定側型盤２に取り付けられている。板上部材１１によってＯＮ，ＯＦＦされる。
【００１１】
次に動作について説明する。各型（可動側型盤１と固定側型盤２）とを閉鎖せしめるときにマイクロスイッチ９がＯＮしていれば正常として判断され、閉鎖動作が開始される。更に、閉鎖動作が進行しマイクロスイッチ１０もＯＮされればアンギュラピン３の孔５への嵌挿が正常なものと判断され閉鎖動作が継続される。そして後に、マイクロスイッチ９はスライドブロック６の閉鎖動作によりＯＦＦされるが、マイクロスイッチ１０がＯＮ状態にあるため最後まで閉鎖動作を継続する。つまり、マイクロスイッチ９のＯＮ動作がマイクロスイッチ１０に連続して受け継がれると正常と判断され、スライドブロック６を確実に閉鎖せしめるのである。
【００１２】
しかし、マイクロスイッチ１０がＯＮされる前にスライドブロック６が移動し、マイクロスイッチ９がＯＦＦされると異常と判断され、直ちに閉鎖動作が停止される。
なお以上の例に於ては、スライドブロック６の閉鎖動作について説明したが、成形品を排出するエジェクターピンの動作についても同様である。つまり、スライドブロック６が移動した状態でのエジェクターピンの動作を停止させることができるのである。マイクロスイッチ９がＯＦＦ状態では勿論、マイクロスイッチ９がＯＮ状態であっても、マイクロスイッチ１０がＯＮ状態である場合にはエジェクターピンを作動しないようにすれば良いのである。
なお、本例に於てはアンギュラピンを使用した金型装置を示したが、アンギュラカムを使用している金型装置であっても良い。
【００１３】
【発明の効果】
本発明は、固定側型盤と可動側型盤とよりなる金型装置であって、前記固定側型盤には両型盤が開閉する方向と直角方向に開閉するスライドブロックを設けた射出成形用金型に於て、スライドブロックは、可動側型盤に設けたアンギュラピンによって開閉し、前記固定側型盤にはスライドブロックの位置検出機構を、可動側型盤には両型盤の開閉状態を検出する検出機構を備え、前記スライドブロックの位置検出機構と両型盤の検出機構が一時的にＯＮされたときに正常と判断され、金型の閉動作が継続される射出成形用金型装置としたので、金型装置の破損を極力防止できる。
【図面の簡単な説明】
【図１】本発明の一実施例開型時正面図である。
【図２】図１の閉型時正面図である。
【図３】従来の開型時正面図である。
【図４】図３のスライドブロックが重力で下方に変位した時の正面図である。
【図５】図３の固定側型盤にスライドブロックの位置検出機構を備えた正面図である。
【符号の説明】
１    可動側型盤
２    固定側型盤
３    アンギュラピン
４    閉鎖ブロック
５    孔
６    スライドブロック
７    ボールプランジャー
８    凹部
９，１０    マイクロスイッチ
【図１】
0003548876.tif 000002
【図２】
0003548876.tif 000003
【図３】
0003548876.tif 000004
【図４】
0003548876.tif 000005
【図５】
0003548876.tif 000006